(57)【要約】      （修正有）【課題】海鮮品を化粧詰可とし、かつ液汁水と臭気を排除出来る構造を有する盛り上げ詰め台付き海鮮容器を提供する。【解決手段】海鮮品詰め容器枠体１を設け、その側壁周囲に対し臭気排出孔２を多数穿設し、該容器枠体１に対し脱着自在に海鮮品詰め置き台５を配する。さらに該詰め置き台５の周囲上縁部より中心表面に向け盛り上げ形状とした表面体に透き目６を設け、且つ、持手７を上記周囲上縁部に左右対称に設ける。また、海鮮品詰め容器枠体１に設置した、海鮮品詰め置き台５の透き目６表面体に、吸水具８を敷設し、又、海鮮品詰め置き台５の裏底空間体部９に、吸受水マット１０を設ける。さらに、海鮮品詰め容器枠体１の枠体上縁部に対し、蓋１１を冠着し、生鮮の保持、及び、装飾感を得る。【選択図】図３
0003178502.tif 000002
【実用新案登録請求の範囲】
【請求項１】
別体を有す海鮮品詰め容器枠体を設け、且つ、側壁周囲に対し臭気排出孔を多数穿設に設け備へ、別体において脱着自在を有す、海鮮品詰め置き台を、周囲上縁部より、中心表面体に向け盛り上げ形状体に設けると共に表面体に透き目を設け、且つ、持手を周囲上縁部の左右対称に設け備へ、海鮮品詰め容器枠体に、海鮮品詰め置き台を設置に備へ、海鮮品詰め置き台の透き目表面体に、吸水具を敷設に備へ、又、海鮮品詰め置き台の裏底空間体部に、吸受水マットを入設置に備へ、海鮮品詰め容器枠体の枠体上縁部に対し、蓋を冠着に設け備へた、盛り上げ詰め台付き海鮮容器。
【考案の詳細な説明】
【技術の分野】
【０００１】  本考案は、海鮮品詰め容器枠体の内体部に、脱着自在を有す海鮮品詰め置き台を盛り上げ形状体に設けると共に表面体に透き目を設け、海鮮品詰め容器枠体の内体部に、海鮮品詰め置き台を設置に備へ、又、海鮮品詰め置き台の裏底空間部に、吸受水マットを入設置に備へた、盛り上げ詰め台付き海鮮容器に関するものである。
【背景の技術】
【０００２】  現在使用されている海鮮品容器は、平面形状体、及び、サラ形状体、そして、ざる形状体等の海鮮品詰め台を設け備へた容器が使用され、いずれの海鮮品詰め容器も、生鮮保持、及び、装飾感に対し欠点を有す。
【考案の概要】
【考案が解決しようとする課題】
【０００３】  平面形状体、及び、サラ形状体の海鮮品詰め置き台使用の場合、容器底面体に対し薄い弾性素材を用いた吸水紙が敷設されただけのもので、海鮮品から滲み出る液汁水の吸収機能が弱く、よって、溜まる液汁水に漬け込まれた状態が発生し、生鮮保持が図れない、又、海鮮品の詰め置かれた状態が平面詰め状態を有することが多く装飾感に欠ける、又、ザル形状体の海鮮詰め置き台を使用した場合、周囲上縁部より下向傾斜形状体を有するため、重ね盛りが多く、よって、重圧による圧迫損傷を招く事が多く見受けられる。従って海鮮品詰め置き台を、周囲上縁部より中心表面体に向け盛り上り形状体に設けると共に、表面体に液汁水の吸水排を図る透き目を設け、海鮮品詰め置き台の裏底空間部に、液汁水を吸収する吸受水マットを入設置に備へた事において前述の欠点を解決しようとするものである。
【課題を解決するための手段】
【０００４】  木材等の適宜素材を用い、海鮮品詰め容器枠体を設け、側壁周囲に対し海鮮品の液汁水臭気を排出する臭気排出孔を穿設に設けると共に、内側壁周囲の適当な高位に対し、脱着自在を有す海鮮品詰め置き台を受止する受止帯片を周設固定に設け備へ、竹材等の適宜素材を用い、脱着自在を有す海鮮品詰め置き台を、海鮮品詰め容器枠体の内側壁周囲幅に設け、且つ、表面体に適当な大きさの透き目を編み込みにおいて設けた作体を用い、周囲より中心に向け盛り上げ形状体に設け、又、持手を周囲上縁部の左右対称に設け備へ、海鮮品詰め容器枠体の内側壁周囲に設けた、受止帯片に、海鮮品詰め置き台を設置に備へ、又、海鮮品詰め置き台の透き目編み込み表面体に、海鮮品の液汁水を吸収及び損傷防止を兼ね、弾性素材を用いた、吸水具を敷設に備へ、海鮮品詰め置き台の裏底空間体部に、透き目より滲み垂れ落ちる液汁水を吸収する、弾性素材を用いた、吸受水マットを入設置に備へ、海鮮品詰め容器枠体の枠体上縁部に対し、透明素材を用いた蓋を冠着に備えたことにより問題点を解決している。
【考案の効果】
【０００５】  上述の様に、本考案の盛り上げ詰め台付き海鮮容器は、別体において脱着自在を有す、海鮮品詰め置き台を盛り上げ形状体に設けた事において、海鮮品の特徴をいかした、盛り詰め、縦詰め、横詰め、斜め詰め、渦巻き詰め等の化粧詰による、装飾感を可能とした、又、海鮮品詰め置き台に、透き目を設けた事において、海鮮品から滲み出る液汁水による漬け込み状態を排除すると共に海鮮品詰め容器枠体に設けた臭気排出孔において、液汁水の臭気が外気に排出され、よって、海鮮詰め容器体内にこもることなく生鮮保持の長い時間をも可能とした、又、海鮮品詰め置き台を脱着自在に設けた事において、周囲上縁部の左右対称に設けた持手をつまみ持ち、海鮮品に似合う食器に移し変へ、楽しい食卓を迎えることも可能とした。
【図面の簡単な説明】
【０００６】
【図１】  本考案の海鮮品詰め容器枠体を実施例において示す斜視図
【図２】  本考案の海鮮品詰め置き台を実施例において示す斜視図
【図３】  本考案の盛り上げ詰め台付き海鮮容器を示す一部切欠断面図
【考案を実施するための形態】
【０００７】  木材等の適宜素材を用い、別体を有す枠体側壁部周囲に対し、適当な大きさの臭気排出孔を外側壁から内側壁に向け多数穿設すると共に、内側壁部周囲の適当な高位に対し、脱着自在を有す海鮮品詰め置き台を受止する帯状に設けた受止帯片を周囲固定に設けた、海鮮品詰め容器枠体を設け備へ、竹材等の適宜素材を用い、別体において脱着自在を有す、海鮮品詰め容器枠体の内側壁部周囲幅に設け、且つ、表面体より液汁水を垂れ落す適当な大きさの透き目を編み込みにおいて設けた作体を用い、周囲上縁部より中心表面体に向け盛り上げ形状体に設けると共に、周囲上縁部の左右対称に直接の編み体において持手を設け備へた海鮮品詰め置き台を、別体を有す、海鮮品詰め容器枠体の内側壁部に設けた受止帯片に入設置に備へ、又、海鮮品詰め置き台の透き目編み込み表面体に、海鮮品から滲み出る液汁水を吸収及び損傷防止を兼ね、弾性素材を用いた吸水具を敷設に備へ、海鮮品詰め容器枠体に、海鮮品詰め置き台を設置に生じる裏底空間体部に透き目より垂れ落ちる液汁水を吸収する、弾性素材を用いた、吸受水マットを入設置に備へ海鮮品詰め容器枠体の枠体上縁部に対し、透明素材を用いた蓋を冠着に備へている。
【実施例】
【０００８】  以下、添付図面に従って一実施例を説明する。１は木材等適宜素材を用い別体に設けた海鮮詰め容器枠体。２は海鮮品から滲み出る液汁水の臭気を排出する海鮮品詰め容器枠体１の側壁周囲に対し多数外側より内側に向け穿設した、臭気排出孔。３は海鮮品詰め容器枠体１の内側壁体部４に脱着自在を有す、海鮮品詰め置き台５を設置一体の受止を図る周設に設けた受止帯片を備へている。【０００９】  ５は竹材等の適宜素材を用い、別体において、脱着自在を有す海鮮品詰め容器枠体１の内側壁体部４の周囲幅に設けると共に、周囲上縁部１３より中心表面体に向け盛り上げ形状体に設けた海鮮品詰め置き台。６は盛り上げ形状体の表面体を形成する薄い帯状体に加工を有した竹帯を用い編み込みにおいて作体した透き目。７は海鮮品詰め置き台５の周囲上縁部１３の左右対称に直接のつる編みにおいて作体した持手。８は海鮮品詰め置き台５の盛り上げ形状体に設けた表面体に詰め置きされた海鮮品の液汁水を吸収、及び、損傷防止を兼ね敷設に備へた吸水具。【００１０】  ９は海鮮品詰め容器枠体１の受止帯片３に、脱着自在を有す海鮮品詰め置き台５を設置一体において生ずる裏底空間体部。１０は盛り上げ形状体の表面体に設けた透き目６より裏底空間体部９に垂れ落ちる液汁水を吸収する、弾性素材を用い設置に備へた、吸受水マット。１１は海鮮品詰め枠体１に海鮮品詰め置き台５を設置一体において枠体上縁部１２の周囲に対し冠着に設け備へた蓋。
【符号の説明】
【００１１】  １    海鮮品詰め容器枠体
２    臭気排出孔
３    受止帯片
４    内側壁体部
５    海鮮品詰め置き台
６    透き目
７    持手
８    吸水具
９    裏底空間体部
１０  吸受水マット
１１  蓋
１２  枠体上縁部
１３  周囲上縁部
【図１】
0003178502.tif 000003
【図２】
0003178502.tif 000004
【図３】
0003178502.tif 000005